(57)【要約】【目的】緑化用定着板等を採用する場合においても植物に適切な水分補給を行う。【構成】本発明に係る緑化用保水シート１は、所定幅Ｗを有する長尺状に形成された扁平状袋体２に保水剤４を封入してなる。扁平状袋体２は、透水性を有する生分解性素材としての紙で形成された帯状をなす二枚のシート体３，３をそれらの周縁部である両側方縁部にて相互に接着してなり、上述した保水剤４は、扁平状袋体２内の中空内部空間、言い換えれば二枚のシート体３，３に挟まれた中空内部空間５に封入してある。保水剤４は、耐アルカリ性及び吸放湿性を有するとともに、アルカリ成分を含む水を保水できる材料で構成してあり、具体的には、ＮＶＡ（Ｎ−ビニルアセトアミド）を主モノマーとして重合されてなるＰＮＶＡ（ポリ−Ｎ−ビニルアセトアミド）で構成することができる。【選択図】　図１
2004081174.tif 000002
【特許請求の範囲】
【請求項１】
紙、パルプ等の透水性を有する生分解性素材からなる扁平状袋体に耐アルカリ性及び吸放湿性を有しかつカルシウムイオンを主体とするアルカリ成分を含む水を保水可能な保水剤を封入して構成したことを特徴とする緑化用保水シート。
【請求項２】
前記扁平状袋体を、周縁部にて相互に接着されてなる二枚のシート体で構成した請求項１記載の緑化用保水シート。
【請求項３】
前記保水剤を、ＮＶＡ（Ｎ−ビニルアセトアミド）を主モノマーとして重合されてなるＰＮＶＡ（ポリ−Ｎ−ビニルアセトアミド）とした請求項１又は請求項２記載の緑化用保水シート。
【発明の詳細な説明】
【０００１】
【発明の属する技術分野】
本発明は、河川堤防や崖地等の法面をはじめ、建築物における屋上緑化や壁面緑化といったあらゆる状況で緑化を図るために使用される緑化用保水シートに関する。
【０００２】
【従来の技術】
造成地の盛土や切土、道路の盛土、河川堤防等に見られる傾斜地においては、適当な手段でこれを保護することにより、法面の侵食、剥離、落石等を未然に防止しなければならない。
【０００３】
法面保護の手段としては、コンクリートやモルタルの吹付けがその典型的な方法として知られているが、最近では、環境面に配慮すべく、緑化による法面保護を採用することが多くなってきた。
【０００４】
法面を緑化によって保護する方法としては、植物の種子、肥料、水、チップ材、粘着剤等を攪拌混合した水性スラリーからなる植生基材を法面に吹き付けるのが一般的であり、かかる方法によれば、法面への吹付け後、一定期間後に発芽した植物の根が傾斜地盤内に拡がって該傾斜地盤を安定させることが可能となる。
【０００５】
【発明が解決しようとする課題】
ここで、植物が生育するためには、その生育に適した水分補給が必要であり、かかる水分補給が適切でないと、該傾斜地盤を緑化することは難しくなる。
【０００６】
ところが、晴天が続くような地域や季節、あるいは植生基材の背面に法面コンクリートが存在するため、地盤からの水分補給が期待できないような状況では、植物に対して十分な水分補給がなされず、そのために法面緑化を施しても植樹した樹木が生育せず枯れてしまうことがあるという問題を生じていた。
【０００７】
また、本出願人は、多数の木片を該木片同士に間隙が生じるようにセメント含有物質で相互に固結させてなる緑化用定着板及び定着構造を別途開発した。そして、かかる緑化用定着板及び定着構造の上に積層された植生基材から伸張する植物の根を木片同士の間隙に絡ませることによって、急傾斜地や吹付けコンクリートが存在する場所であっても、植物をしっかりと定着させて緑化を図ることに成功したが、かかる緑化用定着板又は緑化用定着構造からは、施工初期においてアルカリ成分が溶出することがあり、かかる場合、たとえ降雨や地盤からの湧水によって水分補給がなされたとしても、該水にはカルシウムイオンを主体とするアルカリ成分が含まれることとなり、通常の保水剤あるいは保水剤を含んだ保水シート（特開平７−２２４４３０号公報参照）では、このようなアルカリ成分を含んだ水を十分に保水することができないという問題も生じていた。
【０００８】
このような問題は、法面緑化に代表される土木分野に採用される場合のみならず、屋上緑化等の建築分野で採用される場合についても同様に生じる。
【０００９】
本発明は、上述した事情を考慮してなされたもので、上述した緑化用定着板又は緑化用定着構造を採用する場合においても植物に対して適切な水分補給を行うことが可能な緑化用保水シートを提供することを目的とする。
【００１０】
【課題を解決するための手段】
上記目的を達成するため、本発明に係る緑化用保水シートは請求項１に記載したように、紙、パルプ等の透水性を有する生分解性素材からなる扁平状袋体に耐アルカリ性及び吸放湿性を有しかつカルシウムイオンを主体とするアルカリ成分を含む水を保水可能な保水剤を封入して構成したものである。
【００１１】
また、本発明に係る緑化用保水シートは、前記扁平状袋体を、周縁部にて相互に接着されてなる二枚のシート体で構成したものである。
【００１２】
また、本発明に係る緑化用保水シートは、前記保水剤を、ＮＶＡ（Ｎ−ビニルアセトアミド）を主モノマーとして重合されてなるＰＮＶＡ（ポリ−Ｎ−ビニルアセトアミド）としたものである。
【００１３】
降雨や地盤からの湧水あるいは人工的な散水があった場合、かかる降雨や湧水あるいは人工的な散水による水は、植物の補給水となる反面、緑化用定着板又は緑化用定着構造からの溶出成分により、アルカリを呈する水となるが、本発明に係る緑化用保水シートにおいては、耐アルカリ性を有しかつカルシウムイオンを主体とするアルカリ成分を含む水を保水可能な保水剤を扁平状袋体に封入して構成してあるため、上述した補給水は、緑化用保水シートに確実に保水される。また、本発明に係る保水剤は、吸放湿性をも有するため、該保水剤にいったん保水された水は、周囲の湿度低下に伴って放湿され、植生基材に適宜供給される。
【００１４】
なお、緑化用定着板又は緑化用定着構造からは、上述したようにセメント成分と水との水和反応で生じた水酸化カルシウムが主としてアルカリ成分となり、外部に溶出するが、かかるアルカリ成分の溶出による補給水のｐＨ上昇は、植物の生育を阻害するほど大きくなることはない。
【００１５】
扁平状袋体は、保水剤を封入できる中空内部空間が形成されていれば、その断面の大きさや形状あるいは全体の厚みは任意であるが、その素材としては、紙、パルプ等の透水性を有する生分解性素材から形成しておく。
【００１６】
このようにすると、保水剤が封入された扁平状袋体は、植物の生長とともに微生物によって二酸化炭素と水に徐々に分解され、環境上何ら問題とはならない。
【００１７】
かかる扁平状袋体は、例えば周縁部にて相互に接着されてなる二枚のシート体で構成することができる。この場合、接着とは、いわゆる接着剤を使用した狭義の接着を意味するものではなく、互いに当接された状態にて接合されるあらゆる形態を包摂するものとし、例えば、接着剤を使用せずとも必要に応じて加熱しながら圧着する方法でもよい。
【００１８】
保水剤は、耐アルカリ性及び吸放湿性を有しかつカルシウムイオンを主体とするアルカリ成分を含む水を保水可能な材料で構成するのであれば、その材料については任意であるが、例えば、ＮＶＡ（Ｎ−ビニルアセトアミド）を主モノマーとして重合されてなるＰＮＶＡ（ポリ−Ｎ−ビニルアセトアミド）を用いることが考えられる。
【００１９】
ＰＮＶＡは、ＮＶＡ（Ｎ−ビニルアセトアミド）をラジカル重合して得られる吸液性ポリマーであり、例えば昭和電工株式会社から提供されているＰＮＶＡ　ＮＡグレードのうち、ＮＡ−０１０、ＮＡ−１５０等を採用することができる。
【００２０】
ＮＡ−０１０、ＮＡ−１５０は粉体であり、広範囲のｐＨ領域で安定した吸水性能を示すとともに、強アルカリ環境下でも吸水性能が低下せず、しかも高湿度環境下では吸湿し、低湿度環境下では放湿するので、本発明に係る保水剤に適している。
【００２１】
【発明の実施の形態】
以下、本発明に係る緑化用保水シートの実施の形態について、添付図面を参照して説明する。なお、従来技術と実質的に同一の部品等については同一の符号を付してその説明を省略する。
【００２２】
図１は、本実施形態に係る緑化用保水シートを示した図である。同図でわかるように、本実施形態に係る緑化用保水シート１は、所定幅Ｗを有する長尺状に形成された扁平状袋体２に保水剤４を封入してなる。
【００２３】
扁平状袋体２は、透水性を有する生分解性素材としての紙で形成された帯状をなす二枚のシート体３，３をそれらの周縁部である両側方縁部にて相互に接着してなり、上述した保水剤４は、扁平状袋体２内の中空内部空間、言い換えれば二枚のシート体３，３に挟まれた中空内部空間５に封入してある。
【００２４】
保水剤４は、耐アルカリ性及び吸放湿性を有するとともに、カルシウムイオンを主体とするアルカリ成分を含む水を保水できる材料で構成してあり、具体的には、ＮＶＡ（Ｎ−ビニルアセトアミド）を主モノマーとして重合されてなるＰＮＶＡ（ポリ−Ｎ−ビニルアセトアミド）で構成することができる。
【００２５】
緑化用保水シート１を製造するには、例えば二枚のシート体３，３の間に保水剤４を挟み込み、かかる状態で所定のプレス機でシート体３，３の両側方縁部を圧着することで、扁平状袋体２の製作工程と保水剤４の封入工程とを同時に行えばよいが、保水剤４が中空内部空間５内でずれることがないよう、該保水剤が封入された中央領域にも所定の圧力を載荷するようにするのが望ましい。
【００２６】
保水剤４は、粉砕され粉末状となったものを利用することができる。従来、保水剤は、植生基材に混入させて吹き付けることが多かったため、粉末状のものを使用することは困難であったが、本実施形態では、扁平状袋体２内に封入するため、粉末状であっても支障はないし、むしろ、従来、利用価値が低かった粉末状の保水剤を積極的に利用することが可能となる。なお、保水剤４の量は、植栽する植物の種類や植栽する場所の気候等を考慮し、例えば１０ｇ〜３００ｇ／ｍ２を目安とすればよい。
【００２７】
本実施形態に係る緑化用保水シート１の使用例を図２を用いて説明する。
【００２８】
かかる使用例は、岩盤１１を緑化する際に緑化用保水シート１を使用するものであって、使用手順としては、まず、岩盤１１に緑化用保水シート１を取り付ける。
【００２９】
次に、緑化用保水シート１の上に緑化用定着板１２を積層する。
【００３０】
緑化用定着板１２は、多数の木片１３を該木片同士に間隙１４が生じるようにセメント含有物質としてのセメントミルクで相互に固結させてなり、該間隙に植物の根を伸張させて木片１３に絡みつかせることにより、植物をしっかりと支える定着機能を発揮する。緑化用定着板１２は、工場にて製造した後、現場に適宜搬入するようにすればよい。
【００３１】
緑化用定着板１２を積層したら、次に、該緑化用定着板の上に植生基材１５をさらに積層する。
【００３２】
植生基材１５は、植物の種子、肥料、水、チップ材、粘着剤等を攪拌混合した水性スラリーからなり、該植生基材を緑化用定着板１２の上に吹き付けるようにすればよい。
【００３３】
本実施形態に係る緑化用保水シート１においては、降雨や地盤である岩盤１１からの湧水あるいは人工的な散水があった場合、緑化用保水シート１には、かかる降雨や湧水あるいは散水による水が植物の補給水として保水される。
【００３４】
具体的には、保水前の緑化用保水シート１が例えば厚さ１〜２ｍｍであった場合、封入された保水剤が水を吸水すると、粉末状の保水剤であれば、各粉末微粒子がゲル化して膨らんで互いに接触し連続化するようになり、各微粒子間での水の移動も可能となる。ちなみに、かかる吸水状態では、緑化用保水シート１は、当初の厚みの数倍になる。
【００３５】
ここで、緑化用定着板１２から溶出するアルカリ成分により、補給水は、アルカリを呈する水となるが、緑化用保水シート１を構成する保水剤４は、耐アルカリ性でかつカルシウムイオンを主体とするアルカリ成分を含む水を保水可能な材料で保水剤を構成してあるため、上述した補給水は、緑化用保水シート１に確実に保水される。
【００３６】
また、緑化用保水シート１を構成する保水剤４は、吸放湿性をも有するため、該保水剤にいったん保水された水は、周囲の湿度低下に伴って放湿され、植生基材１５に適宜供給される。
【００３７】
なお、緑化用定着板１２からは、上述したようにセメントミルクと水との水和反応で生じた水酸化カルシウムが主としてアルカリ成分となり、外部に溶出するが、かかるアルカリ成分の溶出による補給水のｐＨ上昇は、植物の生育を阻害するほど大きくなることはない。
【００３８】
かくして、植生基材１５は、緑化用定着板１２を介して図３の矢印に示すように緑化用保水シート１からの水分供給を受け、該植生基材内の種子から植物２１が発根発芽するとともに、緑化用定着板１２は、木片１３同士の間に形成された間隙１４に植物２１の根２２を伸張させて木片１３に絡みつかせ、植物２１をしっかりと定着させる。
【００３９】
以上説明したように、本実施形態に係る緑化用保水シート１によれば、晴天が続いたり緑化を施す岩盤からの湧水がほとんど期待できない場合でも、そのわずかな降雨や湧水を逃がすことなく確実に保水することができる。なお、必要に応じて散水を行えば、かかる散水による水を確実に保水することができることはいうまでもない。
【００４０】
また、本実施形態に係る緑化用保水シート１によれば、保水剤４を、耐アルカリ性を有しかつカルシウムイオンを主体とするアルカリ成分を含む水を保水可能な材料で構成したので、緑化用定着板１２から溶出するアルカリ成分のために降雨や湧水のｐＨが大きくなったとしても、かかる降雨や湧水を植物の補給水として確実に保水し、これを植生基材１５に供給することが可能となり、かくして緑化用定着板１２を使って緑化を図る場合においても、植物２１に対して適切な水分補給を行うことができる。
【００４１】
また、本実施形態に係る緑化用保水シート１によれば、吸放湿性を有する材料で保水剤４を構成したので、湿度が高い場合には補給水としてこれを保水する一方、湿度が低い場合には、保水された水を放湿し、これを緑化用定着板１２を介して植生基材１５に供給することが可能となり、植物２１に対して適切な水分補給を行うことができる。
【００４２】
また、本実施形態に係る緑化用保水シート１によれば、扁平状袋体２に保水剤４を封入するようにしたので、保水剤４の取付け作業が容易になることは言うに及ばず、降雨による保水剤４の流出を防止することができるとともに、植生基材に保水剤を混入させたときの問題点を解消することが可能となる。
【００４３】
すなわち、従来であれば、植生基材を吹き付ける際に比重差等によって保水剤がどうしても均一に分散せず、植生基材内で偏ってしまうという問題があったが、本実施形態ではそのような懸念はない。また、植生基材が乾燥した場合、表面に近いために保水剤に保水された水もすぐに蒸散してしまうという問題があったが、本実施形態では緑化用保水シート１の上に植生基材１５があるため、緑化用保水シート１内に保水された水が容易に蒸散するのが防止される。さらに、植生基材に保水剤を混入させると、植生基材の乾燥収縮によって保水剤の周囲に間隙が生じるため、保水剤に水が保水されているとしても、かかる水は、該間隙に阻まれて植生基材全体に行き渡らず、結果として植物への補給水とはならないという問題があったが、本実施形態では保水剤を植生基材に直接混入してはいないため、かかる問題を回避することが可能となる。
【００４４】
また、本実施形態に係る緑化用保水シート１によれば、扁平状袋体２を、透水性を有する生分解性素材としての紙で形成された帯状をなす二枚のシート体３，３をそれらの周縁部である両側方縁部にて相互に接着して構成したので、全体が軽量化され取付け時の作業性が向上することはもちろん、保水剤４が封入された扁平状袋体２は、植物２１の生長とともに微生物によって二酸化炭素と水に最終的に分解され、環境上何ら問題とはならない。
【００４５】
本実施形態では、植物２１を定着させる手段として、多数の木片１３を該木片同士に間隙１４が生じるようにセメントミルクで相互に固結させてなる緑化用定着板１２を採用したが、これに代えて、セメントミルクに多数の木片１３を混練することで該木片にセメントミルクを絡ませ、かかる流動状態で緑化用保水シート１の上に吹き付けることにより、木片１３の間に間隙１４が形成されるように該木片を相互に固結させてなる緑化用定着構造としてもよい。なお、かかる構成の場合、上述した流動物を吹き付ける前に緑化用保水シート１の上にラスを敷設しておくのが望ましい。
【００４６】
また、本実施形態では、本実施形態に係る緑化用保水シート１を傾斜地である岩盤１１に適用したが、本発明に係る緑化用保水シートは、かかる土木分野に限定されるものではなく、建築分野においても、屋上緑化や壁面緑化に適用することが可能である。
【００４７】
例えば、壁面緑化の場合、建築物の壁面に本実施形態に係る緑化用保水シート１を取り付けるとともにその上に緑化用定着板１２を積層し、その上に植生基材１５をさらに積層するようにすることで、上述したとほぼ同様の作用効果を得ることができる。
【００４８】
【発明の効果】
以上述べたように、本発明に係る緑化用保水シートによれば、晴天が続いたり緑化を施す岩盤からの湧水がほとんど期待できない場合でも、そのわずかな降雨や湧水を逃がすことなく確実に保水することができる。また、保水剤を、耐アルカリ性を有しかつカルシウムイオンを主体とするアルカリ成分を含む水を保水可能な材料で構成したので、緑化用定着板又は緑化用定着構造から溶出するアルカリ成分のために降雨や湧水のｐＨが大きくなったとしても、かかる降雨や湧水を植物の補給水として確実に保水し、これを植生基材に供給することが可能となり、かくして緑化用定着板又は緑化用定着構造を使って緑化を図る場合においても、植物に対して適切な水分補給を行うことができる。さらに、保水剤を吸放湿性を有する材料で構成したので、湿度が高い場合には補給水としてこれを保水する一方、湿度が低い場合には、保水された水を放湿し、これを緑化用定着板又は緑化用定着構造を介して植生基材に供給することが可能となり、植物に対して適切な水分補給を行うことができる。
【００４９】
【図面の簡単な説明】
【図１】本実施形態に係る緑化用保水シート１の図であり、（ａ）は一部を切除した全体斜視図、（ｂ）は断面図。
【図２】本実施形態に係る緑化用保水シート１の使用例を示した断面図。
【図３】本実施形態に係る緑化用保水シート１の作用を示した断面図。
【符号の説明】
１　　　　　　　　　　　　　緑化用保水シート
２　　　　　　　　　　　　　扁平状袋体
３　　　　　　　　　　　　　紙（シート体、生分解性素材）
４　　　　　　　　　　　　　保水剤
【図１】
2004081174.tif 000003
【図２】
2004081174.tif 000004
【図３】
2004081174.tif 000005